(57)【要約】      （修正有）【課題】火薬を使わず、使用上の危険が無く、誰にでも繰り返し使えて、できるだけゴミの出ない安価なクラッカーを提供する。【解決手段】圧縮空気注入機構２と、圧縮空気瞬時放出機構３を備えた圧縮空気を蓄える圧縮空気タンク１と、圧縮空気瞬時放出機構３に気密に連接する放出容器４とを有して構成される。危険な火薬を用いず、汎用の空気ポンプで空気を圧縮し、その圧縮空気を瞬時に放出させることにより動作する特殊部品を使わない安価なクラッカーが提供される。【選択図】図１
2012177491.tif 000002
【特許請求の範囲】
【請求項１】
空気注入機構と、圧縮空気瞬時放出機構を備えた圧縮空気を蓄える圧縮空気タンクと、前記圧縮空気瞬時放出機構に気密に連接する放出物収容容器とを有することを特徴とした圧縮空気クラッカー装置。
【請求項２】
請求項１記載の圧縮空気クラッカー装置において、前記放出物収容容器中に前記圧縮空気瞬時放出機構よりの圧縮空気によって駆動され、前記放出物収容容器中の放出物を押出すための押出しプランジャーを有することを特徴とした圧縮空気クラッカー装置。
【請求項３】
上記請求項１乃至２のいずれか１項記載の圧縮空気クラッカー装置において、前記放出物収容容器が着脱可能構造になっていることを特徴とする圧縮空気クラッカー装置。
【請求項４】
上記請求項１乃至３のいずれか１項記載の圧縮空気クラッカー装置において、前記空気注入機構を自転車用タイヤ空気注入機構としたことを特徴とする圧縮空気クラッカー装置。
【請求項５】
上記請求項１乃至４のいずれか１項記載の圧縮空気クラッカー装置において、前記空気注入機構部にカバーを付することを特徴とした圧縮空気クラッカー装置。
【請求項６】
上記請求項１乃至５のいずれか１項記載の圧縮空気クラッカー装置において、クラッカー装置本体と止め栓とをひもを含む締結手段にて結びつけたことを特徴とする圧縮空気クラッカー装置。
【請求項７】
上記請求項１乃至６のいずれか１項記載の圧縮空気クラッカー装置において、ピストル型の引き金によって、前記圧縮空気瞬時放出機構を動作させることを特徴とした圧縮空気クラッカー装置。
【請求項８】
上記請求項１乃至７のいずれか１項記載の圧縮空気クラッカー装置において、前記圧縮空気タンク中に芳香剤の粉末或いは液体を添加することを特徴とした圧縮空気クラッカー装置。
【請求項９】
上記請求項１乃至８のいずれか１項記載の圧縮空気クラッカー装置において、前記圧縮空気タンクに一定圧力以上になると空気を漏洩する圧力調整弁を有することを特徴とした圧縮空気クラッカー装置。
【請求項１０】
上記請求項１乃至９のいずれか１項記載の圧縮空気クラッカー装置において、前記放出容器の放出口に薄紙を取り付けることを特徴とした圧縮空気クラッカー装置。
【発明の詳細な説明】
【技術分野】
【０００１】
本発明は、お祝いの席等で用いられるクラッカーに関する。
【背景技術】
【０００２】
従来、パーティ、結婚式、誕生日などのお祝いの席で、その場を盛り上げるためにクラッカーが用いられている。一般的には紙製の円錐形のクラッカー本体に適量の火薬をテープなどと共に封入し、火薬に付けられているひもを引くと、摩擦により火薬が引火・爆発し、祝音をあげると共にクラッカー先端から封入されたテープ等を放出し、その場を華やかに盛り上げるものが多く用いられている。
【０００３】
このような従来の火薬を用いるクラッカーは、火薬爆発の大音響や火薬臭でせっかくのお祝いの席の雰囲気を壊したりすることがあった。また、火薬爆発の煙で火災報知機が動作してしまう恐れから、劇場や結婚式場ではクラッカー使用禁止の場所が多いが、これも商品展開面ではマイナスである。
【０００４】
更に、火薬を用いるため、封入物は引火の危険が無い難燃物である必要があり、自由に選ぶことはできなかった。その上、火薬を包んだ紙が粉々になって飛び散り、クラッカー使用後の片付けが面倒であったり、火薬使用のため輸送や大量の保管、販売等に制約が生じるという欠点があった。
【０００５】
一方、上記のような欠点から、近年では火薬を用いないクラッカーが考案されてきている。
特許文献１には火薬を使わないエアークラッカーの技術開示が為されている。これは通常の空気を袋に封入し、これを人間の手が握り潰す圧力によって空気袋と一体的に連続形成された飛散体収容部に収容された紙テープのような収容物を放出するという考案である。確かに火薬を使わないため危険性は少ないが、大変小規模で、従来の火薬使用のクラッカーのような場を盛り上げるための派手さを期待することはできない。
【０００６】
同じく火薬を用いないクラッカーとして、特許文献２においては、圧縮ガスを封入したガス容器をコイルバネで付勢した穿孔突起により穿孔して圧縮ガスを放出させ、この放出圧力により放出物を放出する技術開示が為されている。ガス容器中の圧縮圧を高めることにより火薬使用クラッカーと同等以上の放出力を持たせることができるとする技術的思想であるが、圧縮ガスとして引火の危険や人体への悪影響が無いものを使用しなければならないこと、傷による暴発の危険が無い運搬、保存方法が必要なこと等の制約がある。
【０００７】
また、特許文献２においては圧縮ガス容器を穿孔してしまうため再使用することはできず、使用するごとにガス容器がゴミとして排出される。さらに圧縮ガス容器をユーザが作成することができず、クラッカーを使用するごとに放出物以外にも圧縮ガス容器を購入しなければならないため費用が嵩んでしまう。
【先行技術文献】
【特許文献】
【０００８】
【特許文献１】特開２００６−７１２５６号公報
【特許文献２】特許第４３３５２３９号公報
【発明の概要】
【発明が解決しようとする課題】
【０００９】
前述のように、火薬を用いるクラッカーは火薬特有の爆発音や火薬臭があり、更に火薬爆発による引火の危険性があるため使用場所や使用者が限定され、輸送や大量保管、販売に制限が生じるという欠点があった。そのため、火薬を使わず、使用上の危険が無く、誰にでも繰り返し使えて、できるだけゴミの出ない安価なクラッカーを提供することが課題であった。
【００１０】
本発明は、従来のクラッカーのように火薬を使用することなく、圧縮空気を封入したタンクから瞬時に圧縮空気を噴出させることにより、容器に内蔵したテープ等を放出させる圧縮空気クラッカーを提供することを目的とするものである。
【課題を解決するための手段】
【００１１】
上記の各課題を解決する本発明に係る圧縮空気クラッカーは、（請求項１）の如く、圧縮空気注入機構と圧縮空気放出機構を有する圧縮空気タンクと該タンクとを気密に連結した放出容器とを備えたものである。
【００１２】
また、（請求項２）の如く、放出容器中に圧縮空気によって駆動されるプランジャーを設置し、放出容器内にある放出物を残余無く放出することができる。
【００１３】
更に、（請求項３）の如く、放出容器を圧縮空気タンクに着脱可能な構成とし、プランジャーの装着や放出容器の交換を容易にすることができる。
【００１４】
圧縮空気注入機構には（請求項４）の如く、一般自転車用の空気ポンプが使えるよう、自転車タイヤの空気注入機構と同構造の圧縮空気注入構造を採用することができる。
【００１５】
上記圧縮空気注入機構は、空気ポンプとの接続のため構造体より突出しているため、機構保護のため（請求項５）の如く、カバーを付加する。
【００１６】
放出容器の形態はプランジャーに合わせた円筒形が望ましいが、従来の火薬式クラッカーのような円錐形とすることもできる。この場合はプランジャーを設置することができないため、圧縮空気止め栓を紛失しないよう、止め栓とクラッカー装置本体を（請求項６）の如く、結んでおく必要がある。
【００１７】
さらに、（請求項７）のように、圧縮空気放出をピストル型のトリガーによって行うことによりクラッカー発射を簡便に行うことができる。
【００１８】
（請求項８）のように、空気を圧縮する過程で芳香剤を混入させ、クラッカー放出物と同時に香りを放出させることも可能である。
【００１９】
また（請求項９）のように圧縮空気タンクに一定圧力以上になると圧縮空気を漏洩する圧力漏洩弁を付加させても良い。
【００２０】
さらに（請求項１０）のように放出容器の放出口に薄紙を張っておいても良い。
【発明の効果】
【００２１】
以上、説明したように、本発明に係る圧縮空気クラッカーにおいては一般に広く用いられている自転車用の空気ポンプ等で圧縮空気タンクに空気を圧縮貯蔵し、それを一瞬に放出することによりテープ等の放出物を放出することができる。このため高価な圧縮ガスボンベを使用することなく何度も繰り返し使用することができ、使用済みガスボンベのようなゴミを発生することも無い。
【００２２】
また、圧縮空気を使用するため、人体への危険や芳香剤を混入させなければ特有の臭いも無く、ガスボンベのような高圧消耗品を貯蔵する手間や危険も無い。
【００２３】
さらに、芳香剤を混入するという技術的思想を活かし、クラッカーを使用する場所の状況、雰囲気に合わせてクラッカー放出物と合わせて芳香を放出することもできる。これを更に応用して芳香剤の代わりに殺虫剤を混入させて野外の活動に利用したり、カプサイシンのような動物の嫌悪剤を混入し、いのししのような動物を追い払うことにも活用できる。
【図面の簡単な説明】
【００２４】
【図１】本発明に係る圧縮空気クラッカーの一実施例の構成図である。
【図２】本発明に係る圧縮空気クラッカーの一実施例の断面図である。
【図３】本発明に係る圧縮空気クラッカーの一実施例における圧縮空気放出機構の放出時の        説明図である。
【図４】本発明に係る圧縮空気クラッカーの一実施例における圧縮空気注入機構の構成図で        ある。
【図５】本発明に係る圧縮空気クラッカーの一実施例の圧縮空気放出機構の別の実施        例を示す図である。
【図６】本発明に係る圧縮空気クラッカーの一実施例の放出容器を着脱式にした場合の説明        図である。
【図７】本発明に係る圧縮空気クラッカーの一実施例における止め栓紛失防止紐の説明図で        ある。
【図８】本発明に係る圧縮空気クラッカーの一実施例のピストル型放出駆動機構の説明図で        ある。
【発明を実施するための形態】
【００２５】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２６】
まず、図１及び２によって本発明の構成概要を説明する。図１は、本発明に係る圧縮空気クラッカーの一実施例の構成を示している。図２は、本発明に係る圧縮空気クラッカーの一実施例の断面図を示している。同両図に示されるように、金属或いは合成樹脂性の圧縮空気タンク１には圧縮空気注入機構２と圧縮空気瞬時放出機構３が装着されており、紙テープのようなクラッカー放出物４ｂを収納する放出容器４は、本実施例では圧縮空気タンク１と圧縮空気放出路１３を通して一体構造をなしている。
【００２７】
放出容器４の内部には、クラッカー放出物４ｂを押出す押出しプランジャー５が圧縮空気瞬時放出機構３に嵌合されている。押出しプランジャー５の下部は止め栓構造となっており、止め栓６の下部には押さえのための窪み７と圧縮空気を漏らさないためのリングパッキン８が装着されている。
【００２８】
図２は、本発明の一実施形態に係る圧縮空気クラッカーが放出前の状態を示しており、押し出しプランジャー５下部の止め栓６は、その下部の窪み７に金属または合成樹脂性のボール９がはまり込み圧縮空気タンク１に装着された圧縮空気瞬時放出機構３に固定されており、リングパッキン８によって圧縮空気タンク１中の圧縮空気が漏洩しないよう圧縮空気放出路１３を密閉している。
【００２９】
次に、図２を用いて、圧縮空気瞬時放出機構３について更に説明する。圧縮空気放出路１３を密閉固定するためのボール９は、圧縮空気放出路１３の外側に設けられたトリガーリング１０の内径に、止め栓６の窪み７に嵌合するよう押されて圧縮空気放出路１３の内部に突出している。トリガーリング１０の内径は、図２の例では上部は圧縮空気放出路１３の外径より摺動できる程度に若干大きく鍔状になっており、その下は圧縮空気放出路１３の内径よりボール９の直径の略２倍大程度えぐれており、更にその下部のトリガーリング１０の内径は、ボール９が圧縮空気放出路１３に突出して止め栓６の窪み７に嵌合するよう、上部内径と滑らかに続いている。圧縮空気放出路１３の側壁にはボール９の外径より小さな斜め座繰り穴１２（図３では９０度等配）がもうけられているため、ボール９は圧縮空気放出路１３には入り込まないが、止め栓６の窪み７に嵌合するまで圧縮空気放出路１３中に突出することができる。
【００３０】
また、トリガーリング１０の下部にはバネ１１が複数（図２の場合は略９０度等配）組み込まれている。すなわち、通常状態ではトリガーリング１０は放出容器４の下部までバネの弾性によって押し上げられ、トリガーリング１０の下部内径によってボール９は圧縮空気放出路２０の内部に一部突出している。
【００３１】
ここで、図３の如くトリガーリング１０をバネ弾性に抗して押し下げると、トリガーリング１０の内径は大きくなるためボール９は圧縮空気放出路１３の内部に突出しなくなる。これによって、止め栓６のロックが外れ、圧縮空気タンク１からの圧縮空気の圧力によって止め栓６は圧縮空気放出路１３を押し上げられ、圧縮空気は該放出路から一気に噴出し放出容器４中の押出しプランジャー５を放出容器４の上方に押し上げ、放出容器４中の放出物４ｂを一気に放出する。
【００３２】
次に、図１及び図４によって本発明に係る圧縮空気クラッカーの一実施例の圧縮空気注入機構２について説明する。図４に示すように、本実施例では一般自転車のタイヤへの空気注入用部品を活用している。すなわち、圧縮空気タンク１にはエアバルブ４１をナット４２によって取り付け、横面スリットの付いたプランジャー４４にゴムチューブ４３を被せ、エアバルブのスリットにあわせて差し込み、袋ナット４５によって固定する。なお突出した圧縮空気注入機構２を保護するため図６のごとくカバー６２を付加しても良い。
【００３３】
上記説明してきた本発明の一実施形態に係る圧縮空気クラッカーの動作説明を行う。まず、圧縮空気瞬時放出機構３のトリガーリング１０を下に下げながら放出容器３の中の押出しプランジャー５下部の止め栓６を圧縮空気放出路１３に差し込む。しっかり差し込んだ後とリガーリング１０を離すとボール９が圧縮空気放出路１３に突出して止め栓６の窪み７にはまり込んで止め栓１０をロックすると共にパッキン８によって圧縮空気タンク１と放出容器４とを気密分離する。
【００３４】
次に、一般自転車の空気ポンプのような空気ポンプ（図省略）を圧縮空気注入機構２に取り付け、ポンプを作動して圧縮空気タンク１に空気を注入圧縮する。圧縮空気クラッカー動作に必要な程度に空気を圧縮するため、圧縮圧力計が付いた空気ポンプが望ましいが、通常の自転車用ポンプを用いてポンプストロークの回数で規定しても良いであろう。あるいは加圧防止のために圧縮空気タンクに、一定圧力以上になると圧縮空気を漏洩する圧力漏洩弁を付加させても良い。
【００３５】
圧縮空気タンク中の空気を所定の圧力にまで圧縮した時点で圧縮を停止し、放出容器４中にテープや紙片のような放出物を入れる。放出物を入れた後、中の放出物が見えないよう、或いはクラッカー発射時に破裂音がするよう、放出容器の放出口４ａに薄紙を張っておいても良い。
【００３６】
上記のように圧縮空気クラッカーの準備ができたところで、トリガーリング１０を下に引くと、ボール９はトリガーリング１０の中に引っ込み、止め栓１０のロックが外れて、圧縮空気タンク１中の圧縮空気は瞬時に放出容器４中に放出され、押出しプランジャー５を押し上げて、放出容器４中の放出物を瞬時に勢いよく放出することができる。
【００３７】
以上のように、大気空気を圧縮使用するため、本発明の圧縮空気クラッカーは繰り返し使用することが出できる上にクラッカーとしての放出物以外にゴミを出すことが無い。
【００３８】
図５ａは、圧縮空気瞬時放出機構の他の例を示す断面図である。上記で説明した圧縮空気瞬時放出機構３を示す断面図５ｂのボール９の代わりに三角片５１を用いた例である。このように圧縮空気瞬時放出機構については、既知のため機構説明は省略するが、ガス栓とホースの着脱機構、或いは水道栓とホースの着脱機構と同様な着脱機構を用いることもでき、全て本発明の思想範疇に含まれるものである。
【００３９】
同様に上記の説明では、圧縮空気注入機構として一般的な自転車のタイヤへの空気注入機構を用いて説明したが、スポーツタイプの自転車タイヤの空気注入機構、或いは自動車タイヤへの空気注入機構を用いることができることは明らかである。
【００４０】
図２においては、圧縮空気タンク１と放出容器４が一体となっているが、放出容器４中の押出しプランジャー５を圧縮空気放出路１３に差し込みやすくするため、図６の如く放出容器４を着脱式にする方法もある。この場合の気密はリングパッキン６１によって保たれる。
【００４１】
図７は放出容器４の形を火薬式クラッカーの形に似せた円錐形状にした場合で、この場合は押出しプランジャー５を使用せず止め栓６のみになり、空気圧で放出容器４内の放出物を放出することとなる。この場合は止め栓６が放出物と一緒に飛び出して紛失しないよう止め栓と圧縮空気瞬時放出機構３とをひも７１等で結んでおくと良い。
【００４２】
図８は、トリガーリング１０を下に下げる動作をピストル型の引き金を引く動作で行い、より使いやすくした一例である。同様な機構は種々考えられるが全て本発明の思想範疇に含まれるものである。
【００４３】
本発明の一実施形態に係る圧縮空気クラッカーでは通常の大気空気を用いるため、例えば圧縮空気タンク１中に液体或いは粉末状の芳香剤を少量入れてから止め栓６で密閉した後、空気を注入圧縮することにより、クラッカー発射時に放出物が放出されると共に、あたりに芳香を漂わせることができ、お祝いやイベントの状況に合わせた香りを漂わせることによりクラッカーの効果を寄り一層高めることができる。これは火薬式クラッカーや圧縮ガスボンベを使ったクラッカーではできない機能であって、本願特有のものである。なお、上記芳香剤使用した後は止め栓６をはずし、水等により圧縮空気タンク１の内部を洗浄すれば、また別の芳香剤を使用することができる。
【産業上の利用可能性】
【００４４】
上述してきたように、本願に係る発明によれば、危険な火薬や圧縮ガスボンベのような特殊な部品を使わず、パーティ、結婚式、誕生日などのお祝いの席でその状況に合ったクラッカーで雰囲気を盛り上げることができる。
【００４５】
上記までの説明では、主として場の雰囲気を盛り上げるためのクラッカーとしての説明を行ってきたが、通常の大気空気を圧縮して用いるため、この圧縮空気中に殺虫剤やカプサイシンのような動物が嫌悪する芳香剤を混入させることにより野外作業時に本発明の圧縮空気クラッカーを発射して蚊やハエを寄せ付けなくしたり、カラスやいのししのような動物を追い払うことにも応用できるであろう。
【００４６】
更には、図６，７の着脱式放出容器の代わりに空気ホーンをつければ非常時の大音量警報装置等に応用できる。
【００４７】
また、本発明に係る圧縮空気クラッカーは、一般的に入手のし易い自転車ポンプ等を使って繰り返し使用できるため、玩具としての活用や宣伝媒体としても応用することができ、各種産業に対して大きな有益性をもたらすものである。
【符号の説明】
【００４８】
１…圧縮空気タンク、２…圧縮空気注入機構、３…圧縮空気瞬時放出機構、４…放出容器、５…押出しプランジャー、６…止め栓、７…窪み、８…リングパッキン、９…ボール、１０…トリガーリング、１１…バネ、１２…斜め座繰り穴、１３…圧縮空気放出路、４１…エアバルブ、４２…ナット、４３…ゴムチューブ、４４…プランジャー、４５…袋ナット、５１…三角片、６１…リングパッキン、６２…カバー
【図１】
2012177491.tif 000003
【図２】
2012177491.tif 000004
【図３】
2012177491.tif 000005
【図４】
2012177491.tif 000006
【図５】
2012177491.tif 000007
【図６】
2012177491.tif 000008
【図７】
2012177491.tif 000009
【図８】
2012177491.tif 000010